(57)【要約】【課題】ダミー配線パターンを備えた液晶表示装置において、静電気に起因する誤表示の発生を抑制することができる液晶表示装置を提供する。【解決手段】非表示領域に対応しシール材１６ｓに接するようにダミー配線パターン１６ｄが形成されている。そして、ダミー配線パターン１６ｄの一部がシール材１６ｓから電気的に分離されると共に液晶に接するように、分割線１６ｃによって、ダミー配線パターン１６ｄが分割されている。よって、帯電したダミー配線パターン１６ｄ上の静電気の一部は、液晶側に抜けてしまい、シール材１６ｓに溜まる静電気の量を減らすことができる。【選択図】図３
2007183497.tif 000002
【特許請求の範囲】
【請求項１】
シール材を介して対向配置される第１基板及び第２基板と、
前記第１基板及び前記第２基板の間に挟持された液晶と、
表示領域に対応するように、前記第１基板及び前記第２基板にそれぞれ形成された第１配線パターン及び第２配線パターンと、
非表示領域に対応するように、前記第１基板及び前記第２基板の少なくともいずれか一方において前記第１基板及び前記第２基板とは電気的に分離されて形成され、かつ、前記シール材に接するように形成されたダミー配線パターンと、
を含む液晶表示装置であって、
前記ダミー配線パターンの一部が前記シール材から電気的に分離されると共に前記液晶に接するように、前記ダミー配線パターンを分割した、
ことを特徴とする液晶表示装置。
【請求項２】
請求項１記載の液晶表示装置において、
前記ダミー配線パターンを複数に分割した、
ことを特徴とする液晶表示装置。
【発明の詳細な説明】
【技術分野】
【０００１】
本発明は、液晶表示装置に関し、特に、表示面を広く見せるためにダミーの配線パターンを有する液晶表示装置に関する。
【背景技術】
【０００２】
表示面を広く見せるためにダミーの配線パターンを有する液晶表示装置が提案されている。図６は、この種の液晶表示装置を搭載した車載計器を示す分解斜視図である。図７は、この種の液晶表示装置の実表示領域及びダミー領域を説明するための正面図である。図８は、この種の従来の液晶表示装置の問題点を理解するための、図７におけるＡＡ線断面図である。
【０００３】
図６に示すように、この種の車載計器は、表ガラス１１、見返し１２、指針１３、文字板１４、ケース１５、ドットマトリックス型の液晶表示装置１６、基板１７及び裏カバー１８から基本構成されている。基板１７上には、指針１３を回転させるムーブメントや光源素子、液晶表示装置１６を含む各種電子部品が搭載されている。指針１３は、各種計測値に応じた角度だけ回転し、文字板１４に形成された目盛りや数字等の意匠を指示する。文字板１４には、各種ウォーニングやインジケータ等の意匠も形成されている。
【０００４】
ケース１５に液晶表示装置１６と略同等の広さの開口部１５１が設けられ、文字板１４には液晶表示装置１６よりやや狭めの開口部１４１が設けられている。基板１７上に搭載される液晶表示装置１６は、これら開口部１４１、１５１を介して、ドライバの視点方向に各種情報を出力する。
【０００５】
ところで、液晶表示装置１６は、その表示領域を広く見せるために、図７に示すように、表示に必要な配線パターンが配置された実表示領域１６ｒの外側領域に、実際の表示には関与しないダミーの配線パターンであるダミー配線パターン１６ｄが配置されている。このため、実表示領域１６ｒは文字板１４に設けられた開口部１４１（図６）よりも小さいが、実表示領域１６ｒにダミー配線パターン１６ｄを加えた領域は、開口部１４１よりも広くなっている。よって、開口部１４１からのぞく表示領域は実表示領域１６ｒよりも広めに見えて、より大型の液晶表示装置を搭載しているように見える。したがって、見栄えが向上する。
【０００６】
液晶表示装置１６は、フロントガラスとバックガラスにダミー配線パターンを含んだＩＴＯ配線パターンが配置された基本構成となっている。すなわち、液晶表示装置１６は、図８の断面図に示すように、フロント側配線パターン１６ｆ１及びダミー配線パターン１６ｄと、バック側配線パターン１６ｂ１との間には、液晶１６ｅが注入されている。フロント側配線パターン１６ｆ１とダミー配線パターン１６ｄとの間はギャップ１６ｇが設けられて、ダミー配線パターン１６ｄはフロント側配線パターン１６ｆ１から電気的に分離されている。フロント側配線パターン１６ｆ１及びバック側配線パターン１６ｂ１はそれぞれ、フロントガラス１６ｆ及びバックガラス１６ｂ上に配置されており、フロントガラス１６ｆ及びバックガラス１６ｂの外側にはそれぞれ、偏光板１６ｆ２及び偏光板１６ｂ２が配置されている。なお、フロントガラス１６ｆとバックガラス１６ｂとの間には、両ガラス１６ｆ及び１６ｂを貼り合わせると共に液晶１６ｅが外部に漏れないように封印する、枠状のシール材１６ｓが配置されている。ダミー配線パターン１６ｄは、フロント側配線パターン１６ｆ１やバック側配線パターン１６ｂ１の外側領域に配置されるシール材１６ｓに接している。
【０００７】
なお、この出願の発明に関連する先行技術文献情報としては次のものがある。
【特許文献１】特開平１−２３７５２３号公報
【非特許文献１】発明協会公開技報公技番号２００５−５００８５５号
【発明の開示】
【発明が解決しようとする課題】
【０００８】
しかしながら、上記従来の液晶表示装置１６は、外部からの静電気に対する配慮が全くなされていなかった。特に、図８の矢印に示すように、ダミー配線パターン１６ｄが帯電すると、電荷はダミー配線パターン１６ｄと電気的に接しているシール材１６ｓに溜まる傾向があるため、この影響により、帯電後の一定時間中においては液晶１６ｅが誤動作してしまうことがある。すなわち、従来の液晶表示装置１６では、帯電後しばらくは、ダミー配線パターン１６ｄが接するシール材１６ｓの近傍において誤表示が発生してしまう可能性があった。
【０００９】
よって本発明は、上述した現状に鑑み、ダミー配線パターンを備えた液晶表示装置において、静電気に起因する誤表示の発生を抑制することができる液晶表示装置を提供することを課題としている。
【課題を解決するための手段】
【００１０】
上記課題を解決するためになされた請求項１記載の液晶表示装置は、シール材を介して対向配置される第１基板及び第２基板と、前記第１基板及び前記第２基板の間に挟持された液晶と、表示領域に対応するように、前記第１基板及び前記第２基板にそれぞれ形成された第１配線パターン及び第２配線パターンと、非表示領域に対応するように、前記第１基板及び前記第２基板の少なくともいずれか一方において前記第１基板及び前記第２基板とは電気的に分離されて形成され、かつ、前記シール材に接するように形成されたダミー配線パターンと、を含む液晶表示装置であって、前記ダミー配線パターンの一部が前記シール材から電気的に分離されると共に前記液晶に接するように、前記ダミー配線パターンを分割した、ことを特徴とする。
【００１１】
請求項１記載の発明によれば、第１基板及び第２基板はシール材を介して対向配置され、液晶が第１基板及び第２基板の間に挟持され、表示領域に対応するように第１配線パターン及び第２配線パターンが形成され、非表示領域に対応しシール材に接するようにダミー配線パターンが形成されている。そして、ダミー配線パターンの一部がシール材から電気的に分離されると共に液晶に接するように、ダミー配線パターンが分割されている。よって、帯電したダミー配線パターン上の静電気の一部は液晶側に抜けてしまう。
【００１２】
上記課題を解決するためになされた請求項２記載の液晶表示装置は、請求項１記載の液晶表示装置において、前記ダミー配線パターンを複数に分割した、ことを特徴とする。
【００１３】
請求項２記載の発明によれば、ダミー配線パターンを複数に分割したので、帯電したダミー配線パターン上の静電気がより液晶側に抜けやすくなる。
【発明の効果】
【００１４】
請求項１記載の発明によれば、第１基板及び第２基板はシール材を介して対向配置され、液晶が第１基板及び第２基板の間に挟持され、表示領域に対応するように第１配線パターン及び第２配線パターンが形成され、非表示領域に対応しシール材に接するようにダミー配線パターンが形成されている。そして、ダミー配線パターンの一部がシール材から電気的に分離されると共に液晶に接するように、ダミー配線パターンが分割されている。よって、帯電したダミー配線パターン上の静電気の一部は、液晶側に抜けてしまい、シール材に溜まる静電気の量を減らすことができる。したがって、静電気に起因する誤表示の発生を抑制することができるため、見栄えを向上させることができる。
【００１５】
請求項２記載の発明によれば、ダミー配線パターンを複数に分割したので、帯電したダミー配線パターン上の静電気がより液晶側に抜けやすくなり、シール材に溜まる静電気の量を更に減らすことができる。したがって、静電気に起因する誤表示の発生を更に抑制することができるため、見栄えを更に向上させることができる。
【発明を実施するための最良の形態】
【００１６】
以下、本発明の実施の形態を図面に基づいて説明する。図１は、本発明の一実施形態に係る液晶表示装置のフロント側配線パターンの一部を示す平面図である。図２は、本発明の一実施形態に係る液晶表示装置のバック側配線パターンの一部を示す平面図である。
【００１７】
本発明の実施形態の液晶表示装置も、上記従来例と同様に、例えば、図６に示したような車載計器における搭載される、ダミー配線パターンを備えたドットマトリックス型の液晶表示装置である。実施形態の液晶表示装置１６も、ダミー配線パターン１６ｄ以外は、図８で示した液晶表示装置と同様の基本構成をしている。すなわち、互いに対向するフロントガラスとバックガラスにダミー配線パターンを含んだＩＴＯ配線パターンが配置された基本構成となっている。そして、ＩＴＯ配線パターンをドットマトリックス状に交差させることによって複数の画素を形成し、それらの画素に印加する電圧をオンオフさせることによって、液晶を透過する光を変化させて、文字等の像を表示するようになっている。この表示にかかる作用は周知であるので詳細説明は省略する。
【００１８】
本発明の実施形態の液晶表示装置は、詳しくは、図１に示すようなフロント側配線パターンを有している。フロント側配線パターンは、表示領域に対応する複数の細線状のパターンｐｙ１１、ｐｙ１２、…、ｐｙ６３、ｐｙ６４から構成されている。複数の細線状のパターンｐｙ１１、ｐｙ１２、…、ｐｙ６３、ｐｙ６４の両側には、非表示領域に対応するダミー配線パターンｄ１、ｄ２、ｄ３、ｄ４が形成されている。このうち、ダミー配線パターンｄ２、ｄ３はバック側の同形状のダミー配線パターンに電気的に接続されているが、ダミー配線パターンｄ１、ｄ４は、フロント側のみに形成されている。ダミー配線パターンｄ１、ｄ４は、分割線１６ｃによって分割されており、詳細は、図３及び図４を用いて後述する。
【００１９】
このような表示領域及び非表示領域に対応する配線パターンを周回するようにシール材１６ｓが配置される。シール材１６ｓは、フロントガラスとバックガラスとを貼り合わせると共に液晶が外部に漏れないように封印する閉じた枠状になっている。但し、図１においては、シール材１６ｓの下方は省略している。シール材１６ｓは、ダミー配線パターンｄ１、ｄ２、ｄ３、ｄ４と電気的に接触している。なお、図１において、配線パターンの下方の電圧印加端子に至る部分は本発明を理解するためには必要ないので省略している。
【００２０】
このようなフロント側配線パターンに対して、バック側配線パターンは、図２に示すようになっている。バック側配線パターンは、表示領域に対応する複数の細線状のパターンｐｘ１１、ｐｘ１２、…、ｐｘ７５、ｐｘ７６、…、から構成されている。これらパターンｐｘ１１、ｐｘ１２、…、ｐｘ７５、ｐｘ７６、…、は、上記フロント側の複数の細線状のパターンｐｙ１１、ｐｙ１２、…、ｐｙ６３、ｐｙ６４と直交している。複数の細線状のパターンｐｘ１１、ｐｘ１２、…、ｐｘ７５、ｐｘ７６、…、の両側には、非表示領域に対応するダミー配線パターンｄ２、ｄ３が形成されている。ダミー配線パターンｄ２、ｄ３はフロント側のダミー配線パターンに電気的に接続されている。このような表示領域及び非表示領域に対応する配線パターンを周回するように上記シール材１６ｓが配置される。なお、図２においても、配線パターンの下方の電圧印加端子に至る部分は本発明を理解するためには必要ないので省略している。
【００２１】
続いて、図３及び図４を用いて、上記ダミー配線パターンｄ１、ｄ４について説明を加える。図３は、図１のＸ部を拡大した平面図である。図４は、図１のＹ部を拡大した平面図である。
【００２２】
図３に示すように、ダミー配線パターンｄ１は、複数の細線状のパターン、…、ｐｙ６３、ｐｙ６４から電気的に分離されている（図１も参照）。ダミー配線パターンｄ１は、図２に示したバック側配線パターンの、図２中、右側のパターンに類似させて形成されている。すなわち、ダミー配線パターンｄ１は、複数の細線状のパターンから構成され、図３中、右肩下がりに直線的に延びた後、折れ曲がって下方に直線的に延びている。例えば、複数の細線状のパターンのうちのひとつである１６ｄを例にとると、そのパターンは所定幅で右肩下がりに直線的に延びた後、その幅を狭めて折れ曲がって下方に直線的に延びている。１６ｄにおいて、右肩下がりに直線的に延びる細長い部位は、図３中下方に直線的に延びる複数の分割線１６ｃによって複数に分割されている。帯電を考慮しない場合には、分割線１６ｃは不要であるが、本発明では敢えて、帯電防止のために複数の分割線１６ｃを設けている。
【００２３】
複数の分割線１６ｃによって、パターン１６ｄは、１６ｄ１で示すシール材１６ｓに接する部位と、１６ｄ２で示すシール材１６ｓから電気的に分離された部位とに分割されている。図３に示すように、１６ｄで示すダミー配線パターン以外の、複数の細線状のダミー配線パターンも同様に、シール材１６ｓに接する部位と、シール材１６ｓから電気的に分離された部位とに分割されている。ここでは、複数の細線状のダミー配線パターンのうち、右肩下がりに直線的に延びる部位が比較的長いパターンのみが、分割線１６ｃで分割されているが（帯電量が大きくなるため）、これ以外のダミー配線パターンも同様に分割線１６ｃで分割してもよい。
【００２４】
また、図４に示すように、ダミー配線パターンｄ４は、複数の細線状のパターン、…、ｐｙ１１、ｐｙ１２から電気的に分離されている（図１も参照）。ダミー配線パターンｄ４は、図２に示したバック側配線パターンの、図２中、左下側のパターンに類似させて形成されている。すなわち、ダミー配線パターンｄ４は、複数の細線状のパターンから構成され、図４中、左肩下がりに直線的に延びた後、折れ曲がって下方に直線的に延びている。例えば、複数の細線状のパターンのうちのひとつである１６ｄを例にとると、そのパターンは所定幅で左肩下がりに直線的に延びた後、その幅を狭めて折れ曲がって下方に直線的に延びている。１６ｄにおいて、左肩下がりに直線的に延びる細長い部位は、図４中下方に直線的に延びる複数の分割線１６ｃによって複数に分割されている。帯電を考慮しない場合には、分割線１６ｃは不要であるが、本発明では敢えて、帯電防止のために複数の分割線１６ｃを設けている。
【００２５】
複数の分割線１６ｃによって、パターン１６ｄは、１６ｄ１で示すシール材１６ｓに接する部位と、１６ｄ２で示すシール材１６ｓから電気的に分離された部位とに分割されている。図４に示すように、１６ｄで示すダミー配線パターン以外の、複数の細線状のダミー配線パターンも同様に、シール材１６ｓに接する部位と、シール材１６ｓから電気的に分離された部位とに分割されている。ここでは、複数の細線状のダミー配線パターンのうち、左肩下がりに直線的に延びる部位が比較的長いパターンのみが、分割線１６ｃで分割されているが（帯電量が大きくなるため）、これ以外のダミー配線パターンも同様に分割線１６ｃで分割してもよい。
【００２６】
続いて、図５を加えて、上記分割線１６ｃによる作用効果について説明する。図５は、本発明の実施形態の作用効果を説明するための概略断面図である。なお、本発明の実施形態と従来例との差異を明確にするため、図５は、従来例の説明に用いた図８に対応する断面図になっている。
【００２７】
図５と図８とを比較すればわかるように、図５に示す実施形態の液晶表示装置においては、ダミー配線パターン１６ｄの一部（１６ｄ２）がシール材１６ｓから電気的に分離されると共に液晶１６ｅに接するように、分割線１６ｃによって、ダミー配線パターン１６が分割されている。分割線１６ｃは、例えば、図３及び図４で示した通りである。よって、帯電したダミー配線パターン１６ｄ上の静電気の一部（従来、シール材１６ｓに溜まっていた静電気の一部）は、図５の矢印で示すように、液晶１６ｅ側に抜けてしまい、シール材１６ｓに溜まる静電気の量を減らすことができる。したがって、誤表示の発生を抑制することができる。
【００２８】
更に、図３及び図４に示すように、ダミー配線パターン１６ｄを複数に分割することにより、帯電したダミー配線パターン１６ｄ上の静電気がより液晶１６ｅ側に抜けやすくなり、シール材１６ｓに溜まる静電気の量を更に減らすことができる。したがって、誤表示の発生を更に抑制することができる。
【００２９】
以上説明したように、本発明の実施形態によれば、ダミー配線パターンを備えた液晶表示装置において、誤表示の発生を抑制することができ、見栄えを向上させることができる。
【００３０】
なお、本発明の液晶表示装置は、車載計器以外に搭載されてもよく、同様の効果を得ることができる。
【図面の簡単な説明】
【００３１】
【図１】本発明の一実施形態に係る液晶表示装置のフロント側配線パターンの一部を示す平面図である。
【図２】本発明の一実施形態に係る液晶表示装置のバック側配線パターンの一部を示す平面図である。
【図３】図１のＸ部を拡大した平面図である。
【図４】図１のＹ部を拡大した平面図である。
【図５】本発明の実施形態の作用効果を説明するための概略断面図である。
【図６】この種の液晶表示装置を搭載した車載計器を示す分解斜視図である。
【図７】この種の液晶表示装置の実表示領域及びダミー領域を説明するための正面図である。
【図８】図７におけるＡＡ線断面図である。
【符号の説明】
【００３２】
１６  液晶表示装置
１６ｆ  フロントガラス（第１基板）
１６ｂ  バックガラス（第２基板）
１６ｆ１  フロント側配線パターン（第１配線パターン）
１６ｂ１  バック側配線パターン（第２配線パターン）
１６ｄ  ダミー配線パターン
１６ｅ  液晶
１６ｓ  シール材
１６ｃ  分割線
１６ｆ２、１６ｂ２  偏光板
【図１】
2007183497.tif 000003
【図２】
2007183497.tif 000004
【図３】
2007183497.tif 000005
【図４】
2007183497.tif 000006
【図５】
2007183497.tif 000007
【図６】
2007183497.tif 000008
【図７】
2007183497.tif 000009
【図８】
2007183497.tif 000010